(57)【要約】【課題】誰でも手軽に且つ安全に利用でき、魚等に高圧電流を自動的に流して、電気ショックを確実に与え、誰でも容易に釣上げでき、構成簡素で、コンパクトで、取扱い易く、装着も簡単で、量産に適し、低廉で経済的な釣魚用感電装置を提供する。【解決手段】釣糸２０の先端部に装着し、連繋した釣針２２に魚等がかかると、一対の電極１３、１６から高圧電流を自動的に流す釣魚用感電装置であって、絶縁体で形成したケース１内にバッテリー１０と変圧器１１とスイッチ機構とを設け、ケース１の一部に凹部３を形成し、凹部３内で外部に露出するように一方の電極１３を配置し、他方の電極１６を釣針２２基端部に配置するか、或いは釣針２２自身を他方の電極１６とし、釣針２２に所定以上の負荷が加えられたときにスイッチ機構が作動するよう形成し、スイッチ機構の作動で一対の電極１３、１６に通電して、電気ショックを与えられるよう構成する。【選択図】図１
0003152011.tif 000002
【実用新案登録請求の範囲】
【請求項１】
釣用仕掛けの釣糸の先端部に装着され、連繋した釣針に魚等がかかったときに、その負荷によりスイッチ機構が作動して、一対の電極から高圧電流を自動的に流し、魚等に電気ショックを与えられるよう構成した釣魚用感電装置であって、適宜ケースを絶縁体によって形成し、このケース内に、バッテリーと変圧器とスイッチ機構とを設け、ケースの一部に凹部を形成すると共に、この凹部内で外部に露出するように一方の電極を配置し、他方の電極を釣針基端部に配置するか、或いは釣針自身を他方の電極とし、釣針に所定以上の負荷が加えられたときにスイッチ機構が作動するように形成し、スイッチ機構が作動すると一対の電極に通電されて、釣針にかかった魚等に電気ショックを与えられるよう構成したことを特徴とする釣魚用感電装置。
【請求項２】
前記スイッチ機構は、ケースの一端部に穿設した挿通孔を介して摺動自在に装着される摺動杆と、この摺動杆の基端部分に固定されるスイッチ片と、ケース内に固定されると共に、スイッチ片を磁着可能な磁石と、スイッチ片と磁石の磁着状態が解除されたときに、スイッチ片に接触することで通電可能となる一対の接点とを備え、釣針に魚等がかかり、スイッチ片と磁石に磁着力以上の負荷が加えられたときに、スイッチ片が磁石から離れると共に一対の接点に接触し、一対の電極に高圧電流を通電できるように構成したことを特徴とする請求項１記載の釣魚用感電装置。
【考案の詳細な説明】
【技術分野】
【０００１】
本考案は、釣用仕掛けの釣糸の先端部に装着されて、魚等が釣針にかかったときに、高圧電流を自動的に流せるようにし、魚等に電気ショックを与えて、容易に釣上げられるようにしたもので、特に、その構成を簡素にすると共に、コンパクトに形成し、取扱い易くして、釣用仕掛けへの装着も簡単に行え、誰でも手軽に且つ安全に利用でき、しかも、低廉で、経済的にも優れたものとなるように工夫した釣魚用感電装置に関するものである。
【背景技術】
【０００２】
従来、この種の釣魚用感電装置としては、例えば、特許文献１に示すような電気衝撃釣具装置があり、これは、釣竿及びリール等から構成される一般釣具、及び機械的に操作される自動釣具等を対象としたもので、電導性釣糸と、電気衝撃発生装置と、センサーとにより構成されるもので、電気衝撃発生装置及びセンサーを釣竿近傍に配したものである。
【先行技術文献】
【特許文献】
【０００３】
【特許文献１】実開平５−６８２７４号公報
【考案の概要】
【考案が解決しようとする課題】
【０００４】
ところで、前述の如き電気衝撃釣具装置にあっては、釣竿近傍の電気衝撃発生装置から電導性釣糸内にその先端部分まで電流を流すようにしなければならず、装置自体が大掛りとなり、一般的な釣人が手軽に利用できるものではなかった。特に、電導性釣糸は、その中心部分が電導性を備えた鉄の細線等で構成され、その周りに絶縁材が被覆してあるものが利用され、しかも、リールから釣針までこれを使用しなければならず、コストの負担がかなり大きいものとなる難点もあった。
【０００５】
そこで、本考案は、前述の如き難点等を解消し、釣用仕掛けの釣糸の先端部に装着するだけで利用でき、魚等が釣針にかかったときには、高圧電流を自動的に流せて、魚等に電気ショックを与え、容易に釣上げられ、誰でも手軽に且つ安全に使用することができ、更に、その構成を簡素にすると共に、コンパクトに形成できるようにし、取扱い易くて、釣用仕掛けへの装着も簡単となり、しかも、低廉で経済的に優れた釣魚用感電装置を提供できるようにすべく案出されたものである。
【課題を解決するための手段】
【０００６】
しかして、前述の如き課題を達成できるようにすべく、請求項１記載の釣魚用感電装置にあっては、釣用仕掛けの釣糸２０の先端部に装着され、連繋した釣針２２に魚等がかかったときに、その負荷によりスイッチ機構が作動して、一対の電極１３、１６から高圧電流を自動的に流し、魚等に電気ショックを与えられるよう構成した釣魚用感電装置であって、適宜ケース１を絶縁体によって形成し、このケース１内に、バッテリー１０と変圧器１１とスイッチ機構とを設け、ケース１の一部に凹部３を形成すると共に、この凹部３内で外部に露出するように一方の電極１３を配置し、他方の電極１６を釣針２２基端部に配置するか、或いは釣針２２自身を他方の電極１６とし、釣針２２に所定以上の負荷が加えられたときにスイッチ機構が作動するように形成し、スイッチ機構が作動すると一対の電極１３、１６に通電されて、釣針２２にかかった魚等に電気ショックを与えられるよう構成する手段を採用した。
【０００７】
また、請求項２記載の釣魚用感電装置にあっては、前記スイッチ機構は、ケース１の一端部に穿設した挿通孔２を介して摺動自在に装着される摺動杆５と、この摺動杆５の基端部分に固定されるスイッチ片７と、ケース１内に固定されると共に、スイッチ片７を磁着可能な磁石１４と、スイッチ片７と磁石１４の磁着状態が解除されたときに、スイッチ片７に接触することで通電可能となる一対の接点１２とを備え、釣針２２に魚等がかかり、スイッチ片７と磁石１４に磁着力以上の負荷が加えられたときに、スイッチ片７が磁石１４から離れると共に一対の接点１２に接触し、一対の電極１３、１６に高圧電流を通電できるように構成する手段を採用した。
【考案の効果】
【０００８】
従って、請求項１記載の釣魚用感電装置によれば、釣用仕掛けの釣糸２０の先端部に装着するだけで良く、誰でも手軽に利用することができるようになる。そして、魚等が釣針２２にかかったときには、高圧電流を自動的に流せて、魚等に電気ショックを確実に与えることができるようになり、魚等を誰でも容易に釣上げられるようになる。
更に、その構成が簡素となると共に、コンパクトに形成できるようになり、取扱い易くて、釣用仕掛けへの装着も簡単となり、しかも、量産に適し、低廉で経済的な釣魚用感電装置を提供できるようになる。
特に、適宜ケース１を絶縁体によって形成し、ケース１の一部に凹部３を形成すると共に、この凹部３内で外部に露出するように一方の電極１３を配置したので、手指等が凹部３内の一方の電極１３に触れることが全くなく、使用者の感電事故を確実に防止でき、誰でも安全に利用することができるものとなる。
【０００９】
また、請求項２記載の釣魚用感電装置によれば、構成簡素で、コンパクトで、ケース１に内装し易く、確実に且つ正確に作動するスイッチ機構となる。
特に、スイッチ片７と磁石１４に磁着力以上の負荷が加えられたときには、スイッチ片７が磁石１４から離れると共に一対の接点１２に接触するので、負荷を設定し易いものとなると共に、負荷が取り除かれたときには、スイッチ片７が磁石１４に再び磁着され、一対の接点１２の通電状態を速やかに解除できるようになる。
【図面の簡単な説明】
【００１０】
【図１】本考案の釣魚用感電装置を例示する一部切欠概略正面図である。
【図２】本考案の他の釣魚用感電装置を例示する一部切欠概略正面図である。
【考案を実施するための形態】
【００１１】
以下、本考案を図示例に基づいて説明すると、次の通りである。
本考案の釣魚用感電装置は、釣用仕掛けの釣糸２０（道糸、幹糸）の先端部に装着され、連繋した釣針２２に魚等がかかったときに、その負荷によりスイッチ機構が作動して、一対の電極１３、１６から高圧電流を自動的に流し、魚等に電気ショックを与えられるよう構成したものである。
そして、この釣魚用感電装置は、適宜ケース１を絶縁体によって形成し、このケース１内に、バッテリー１０と変圧器１１とスイッチ機構とを設け、ケース１の一部に凹部３を形成すると共に、この凹部３内で外部に露出するように一方の電極１３を配置する。
更に、他方の電極１６を釣針２２基端部に配置するか、或いは釣針２２自身を他方の電極１６とする。
それから、釣針２２に所定以上の負荷が加えられたときにスイッチ機構が作動するように形成し、スイッチ機構が作動すると一対の電極１３、１６に通電されて、釣針２２にかかった魚等に電気ショックを与えられるよう構成されている。
【実施例】
【００１２】
前記ケース１は、例えば、絶縁性を有する適宜合成樹脂材（或いは、絶縁性を有する適宜金属材や適宜複合材やその他の材料でも良いし、或いは、その外表面が絶縁性を有する適宜被膜で覆われるようにしたものでも良い。）によって形成されると共に、バッテリー１０や変圧器１１やスイッチ機構を内装できるような中空状に形成されている。しかも、その全体形状は細長な流線形状（例えば、図１参照）や、魚の形態を模したような形状（例えば、図２参照）や、その他適宜形状に形成される。
更に、ケース１は、例えば、その一端部に挿通孔２が穿設され、その側壁部の適宜位置に比較的小さくて深い凹部３が凹設され、その他端部に取付部４が設けられている。
ところで、ケース１の内部にバッテリー１０や変圧器１１やスイッチ機構が簡単に設けられるように、ケース１を二つの分割構成体で構成し、これを接続分離自在となるように形成してあっても良いし、或いは、適宜開口部を適宜蓋材で取外し可能に閉鎖できるように形成してあっても良い（図示せず）。尚、前記接続部分には、適宜防水手段を施して、ケース１内に海水（水）等が侵入しないように配慮する。
【００１３】
前記スイッチ機構は、挿通孔２を介してケース１の一端部に摺動自在に装着される摺動杆５と、この摺動杆５の基端部分に固定されるスイッチ片７と、ケース１内に固定されると共に、スイッチ片７を磁着可能な磁石１４と、スイッチ片７と磁石１４の磁着状態が解除されたときに、移動するスイッチ片７に接触することで通電可能となる一対の接点１２とを備えたものである。すなわち、釣針２２に魚等がかかり、スイッチ片７と磁石１４に磁着力以上の負荷が加えられたときに、スイッチ片７が磁石１４から離れると共に一対の接点１２に接触し、一対の電極１３、１６に高圧電流を通電できるように構成されたものである。
【００１４】
前記挿通孔２は、例えば、摺動杆５がスムーズに摺動できると共に、海水（水）等が侵入しないように適宜パッキン手段が施されている。
【００１５】
前記凹部３は、例えば、手指が入らないような大きさの開口に形成され、その奥壁に一方の電極１３が配置されている。すなわち、手指が凹部３の奥にある一方の電極１３に触れて感電する虞がないように形成されている。
【００１６】
前記取付部４は、例えば、ケース１の他端部（或いは、他端部がわ）に形成され、釣針２２が先端に固定されている釣糸２１（ハリス）を取付けたり、錘２３が先端に固定されている釣糸２４を取付けたりできるように形成されている。尚、取付部４には、ケース１を逆さにして釣糸２０（道糸、幹糸）の先端部分を取付けるようにしても良い。
【００１７】
前記摺動杆５は、例えば、適宜金属製（或いは、強度の高い複合材でも良い。）の棒状に形成され、その基端部分には、釣糸２０（道糸、幹糸）の先端部分を簡単に取付けられるようにした取付部６が形成され、その先端部分には、スイッチ片７が固着されている。
尚、取付部６には、ケース１を逆さにして釣糸２１（ハリス）の基端部分を取付けるようにしても良い。
【００１８】
前記スイッチ片７は、例えば、磁石１４に磁着可能で且つ導電性を有する金属材によって形成されている。尚、スイッチ片７は、その先端面がわが磁石１４に磁着可能な層とし、その基端面がわが導電性を有する層となるような複合材で構成したものであっても良い。しかも、磁石１４に磁着可能な先端面がわの層として磁石を利用し、磁石１４との限界磁着力をより強く設定できるようにしても良い。
【００１９】
前記バッテリー１０は、例えば、適宜電池等が利用され、消耗したときには比較的簡単に互換装着できるようにケース１に内装されている。
【００２０】
前記変圧器１１は、バッテリー１０からの電圧を高くしてから一対の電極１３、１６に流せるように形成されており、魚等を感電させるのに十分な高圧電流が得られるように構成されている。
【００２１】
前記一対の接点１２は、例えば、ケース１の内壁表面に固定されると共に、挿通孔２を跨ぐように離れて固定されており、磁石１４との磁着状態が解除されることにより移動するスイッチ片７に接触することで通電可能となるように形成されている。尚、一対の接点１２は、例えば、スイッチ片７の移動により当接されてＯＮ状態となるような適宜マイクロスイッチの如きものを利用しても良い。
【００２２】
前記一方の電極１３は、凹部３の奥壁外表面に露出するように配され、また、他方の電極１６は、釣針２２基端部に配置するか、或いは釣針２２自身を他方の電極１６として利用する。尚、他方の電極１６には、適宜コード１５を介して高圧電流が供給できるように形成されている。ところで、一対の電極１３、１６の間は、海水（水）を介して通電できるようになり、そのため、釣針２２にかかっている魚等は勿論のこと、釣針２２周辺の魚等も感電するようになる。
【００２３】
前記磁石１４は、例えば、永久磁石が利用され、ケース１内の一端部がわに固定されている。尚、前記スイッチ片７に磁石を利用した場合は、この磁石に磁着される適宜金属材で形成しても良い。
【００２４】
前記コード１５は、例えば、変圧器１１からの高圧電流を他方の電極１６に供給できるようにしたもので、ケース１の外表面がわに突出したコードにその基端部分を接続し、その先端部分を他方の電極１６に接続するように形成されている。このとき、コード１５自身は、図１のようにカール状に形成して、釣糸２１（ハリス）の動きに追動できるように伸縮自在に形成しても良いし、図２のように釣糸２１（ハリス）に沿わせるように直線状に形成したものであっても良い。
【００２５】
ところで、釣魚用感電装置の具体的構成、形状、寸法、材質、釣糸２０への装着位置、釣糸２０への装着数、スイッチ機構の具体的構成、ケース１の具体的構成、形状、寸法、材質、挿通孔２の具体的構成、形状、寸法、配設位置、凹部３の具体的構成、形状、寸法、配設位置、取付部４の具体的構成、形状、寸法、配設位置、摺動杆５の具体的構成、形状、寸法、材質、取付部６の具体的構成、形状、寸法、配設位置、スイッチ片７の具体的構成、形状、寸法、材質、バッテリー１０の具体的構成、形状、寸法、配設位置、変圧器１１の具体的構成、形状、寸法、配設位置、接点１２の具体的構成、形状、寸法、材質、配設位置、電極１３の具体的構成、形状、寸法、材質、配設位置、磁石１４の具体的構成、形状、寸法、材質、配設位置、コード１５の具体的構成、形状、寸法、材質、配設位置、電極１６の具体的構成、形状、寸法、材質、配設位置、釣糸２０、２１、２４の具体的構成、形状、寸法、材質、釣針２２の具体的構成、形状、寸法、材質、錘２３の具体的構成、形状、寸法、材質、配設位置等は図示例のものなどに限定されることなく適宜自由に設定、変更できるものである。
【産業上の利用可能性】
【００２６】
しかして、本考案の釣魚用感電装置は、釣用仕掛けの釣糸２０の先端部に簡単に装着できて、魚等が釣針２２にかかったときに、その負荷によりスイッチ機構が作動して高圧電流を自動的に流せ、魚等に電気ショックを与えて、釣上げ易くなる。
しかも、絶縁体のケース１に設けた凹部３内に一方の電極１３を配置してあり、手指が一方の電極１３に触れることがなく、感電の心配がない安全性の優れたものとなる。
【符号の説明】
【００２７】
１      ケース
２      挿通孔
３      凹部
４      取付部
５      摺動杆
６      取付部
７      導電片
１０    バッテリー
１１    変圧器
１２    接点
１３    電極
１４    磁石
１５    コード
１６    電極
２０    釣糸
２１    釣糸
２２    釣針
２３    錘
２４    釣糸
【図１】
0003152011.tif 000003
【図２】
0003152011.tif 000004
【手続補正書】
【提出日】平成21年5月7日(2009.5.7)
【手続補正１】
【補正対象書類名】明細書
【補正対象項目名】０００６
【補正方法】変更
【補正の内容】
【０００６】
しかして、前述の如き課題を達成できるようにすべく、請求項１記載の釣魚用感電装置にあっては、釣用仕掛けの釣糸２０の先端部に装着され、連繋した釣針２２に魚等がかかったときに、その負荷によりスイッチ機構が作動して、一対の電極１３、１６から高圧電流を自動的に流し、魚等に電気ショックを与えられるよう構成した釣魚用感電装置であって、ケース１を絶縁体によって形成し、このケース１内に、バッテリー１０と変圧器１１とスイッチ機構とを設け、ケース１の一部に凹部３を形成すると共に、この凹部３内で外部に露出するように一方の電極１３を配置し、他方の電極１６を釣針２２基端部に配置するか、或いは釣針２２自身を他方の電極１６とし、釣針２２に所定以上の負荷が加えられたときにスイッチ機構が作動するように形成し、スイッチ機構が作動すると一対の電極１３、１６に通電されて、釣針２２にかかった魚等に電気ショックを与えられるよう構成する手段を採用した。
【手続補正２】
【補正対象書類名】明細書
【補正対象項目名】０００８
【補正方法】変更
【補正の内容】
【０００８】
従って、請求項１記載の釣魚用感電装置によれば、釣用仕掛けの釣糸２０の先端部に装着するだけで良く、誰でも手軽に利用することができるようになる。そして、魚等が釣針２２にかかったときには、高圧電流を自動的に流せて、魚等に電気ショックを確実に与えることができるようになり、魚等を誰でも容易に釣上げられるようになる。
更に、その構成が簡素となると共に、コンパクトに形成できるようになり、取扱い易くて、釣用仕掛けへの装着も簡単となり、しかも、量産に適し、低廉で経済的な釣魚用感電装置を提供できるようになる。
特に、ケース１を絶縁体によって形成し、ケース１の一部に凹部３を形成すると共に、この凹部３内で外部に露出するように一方の電極１３を配置したので、手指等が凹部３内の一方の電極１３に触れることが全くなく、使用者の感電事故を確実に防止でき、誰でも安全に利用することができるものとなる。
【手続補正３】
【補正対象書類名】実用新案登録請求の範囲
【補正対象項目名】請求項１
【補正方法】変更
【補正の内容】
【請求項１】
釣用仕掛けの釣糸の先端部に装着され、連繋した釣針に魚等がかかったときに、その負荷によりスイッチ機構が作動して、一対の電極から高圧電流を自動的に流し、魚等に電気ショックを与えられるよう構成した釣魚用感電装置であって、ケースを絶縁体によって形成し、このケース内に、バッテリーと変圧器とスイッチ機構とを設け、ケースの一部に凹部を形成すると共に、この凹部内で外部に露出するように一方の電極を配置し、他方の電極を釣針基端部に配置するか、或いは釣針自身を他方の電極とし、釣針に所定以上の負荷が加えられたときにスイッチ機構が作動するように形成し、スイッチ機構が作動すると一対の電極に通電されて、釣針にかかった魚等に電気ショックを与えられるよう構成したことを特徴とする釣魚用感電装置。